(57)【要約】      （修正有）【課題】バタ木またはバタ材と呼ばれる建築素材に向かない自然の木の年輪の持つ木目並びに節目が不思議な模様を浮び上がらせ、芸術的文様となるバタ木を活用した灯火具を提供する。【解決手段】ソケット受け台２に電源コンセント４付きのソケット３を設け、ソケットに接続したＬＥＤ電球等の灯り電球５の前部に介装した灯火バタ木本体１を立設するように設け、灯火バタ木本体を後方面から照らすように灯火する。箱形やＬ形の立体型バタ木灯火本体を灯り電球の前部もしくは囲むように介装してもよい。【選択図】図１
0003201262.tif 000002
【実用新案登録請求の範囲】
【請求項１】
ソケット受け台に電源コンセント付のソケットを設け、バタ木の持つ節目等を活かした灯火バタ木本体をソケットに設けた灯り電球の前部に介装したバタ木を活用した灯火（ともしび）具。
【請求項２】
ソケット受け台に電源コンセント付のソケットを設け、バタ木の持つ節目等を活かした箱形等の立体型バタ木灯火本体をソケットに設けた灯り電球を囲むように介装した請求項１に記載したバタ木を活用した灯火（ともしび）具。
【請求項３】
ソケット受け台に電源コンセント付のソケットを設け、バタ木の持つ節目ならびにバタ木にデザイン灯り孔を備え、バタ木のもつ節目を引出す孔によるデザインを要した孔の持つ形状灯りを活かした、デザイン灯り孔を備えた灯火バタ木本体をソケットに設けた、灯り電球の前部もしくは電球を囲むように介装した請求項１、請求項２に記載したバタ木を活用した灯火（ともしび）具。
【請求項４】
ソケット受け台に電源コンセント付のソケットを設け、節目冠着溝孔を備えバタ木の持つ節目等の節目付き嵌合木を設けた、節目冠着溝孔備え灯火木本体をソケットに設けた灯り電球の前部に介装した請求項１、請求項２、請求項３に記載したバタ木を活用した灯火（ともしび）具。
【請求項５】
灯りに用いる、ソケット並びに電球は、従来の白熱電球でも良い。しかし白熱電球は熱を持つことや使用耐久時間が短い等の欠点もあり、消費熱の少ない使用耐久時間が長いＬＥＤのソケット並びにＬＥＤ電球を灯り源として使用することも可能又暗さに反応し、スイッチが自動で反応する灯りセンサースイッチなどを設け、またタイムスイッチで灯りの入る時間や切る時間を備えた灯り電球を装着することもできる灯り等を設け電球の前部に介装した請求項１に記載したバタ木を活用した灯火（ともしび）具。
【考案の詳細な説明】
【技術分野】
【０００１】  この考案は、バタ木またはバタ材呼ばれ建築素材に向かない木で木材の端板ですが灯火バタ木本体に備わっているバタ木の節目ならびに木目を、灯り電球の前部に介装すると、自然の木の年輪の持つ木目並びに節目のもつ独自の形状が電球の灯りを灯すことにより自然が醸し出す不思議な模様を浮び上がらせ、木の持っている自然界を媒体して全く新しい発想のもとで表現した、デザイン手法の芸術的文様を表したバタ木を活用した灯火具に関するものである。
【背景技術】
【０００２】  従来、バタ木またはバタ材並びに屑木とも呼ばれ、建築素材に向かない木で、ストーブ等の薪ように処理される木材の端板であり、行灯などのように木枠の囲いを設け紙を用いた。
【考案の開示】
【考案が解決しようとする課題】
【０００３】  その為につぎのような問題点があった。
行灯等は木枠などの囲いを設け、木枠に無地の紙もしくは絵のついた紙などを貼ることは有ったが、時代に合わなくなってきたなどならびに斬新さが見えなく成り消費にも不向きなどの問題点が上がってきた。本考案は以上の問題点を解決する為になされたものである。
【課題を解決するための手段】
【０００４】  ＬＥＤ電球等の裸電球の前部に介装した灯火バタ木本体を立設するように設け、又箱形等やＬ形等の立体型バタ木灯火本体をＬＥＤ電球などの裸電球の前部もしくは囲むなどように介装し、灯火バタ木本体等を後方面から照らすように灯火をしたバタ木を活用した灯火具である。
【考案の効果】
【０００５】  行灯等のように木枠等を設け、木枠に用紙などを貼付けすることがなく、木枠そのものの効果と無地用紙や印刷用紙などを、人工的に創作し貼付けする事がなく天然の木目の風味を効果的に表現し見るものに感動をもたらす全く新しい手法による灯火を提供出来る。
【考案を実施するための最良の形態】
【０００６】  以下本考案の実施の形態について説明する。
ソケット受け台（２）に電源コンセント（４）付のソケット（３）を設け、バタ木の持つ節目等を活かした灯火バタ木本体（１）をソケット（３）に設けた灯り電球（５）の前部に介装する。
本考案は、以上の構造でこれをしようするときは、灯火バタ木本体（１）を灯り電球（５）の前部に介装し、灯火バタ木本体（１）を付設する。もしくは灯り電球（５）を囲むなどように介装し、灯火バタ木本体（１）を付設して、灯り電球（５）を点灯して灯火バタ木本体（１）を後方面から照らすように灯火（ともしび）をする。
【図面の簡単な説明】
【０００７】
【図１】本考案の斜視図
【図２】本考案の使用状態を示す斜視図
【図３】本考案の別使用状態を示す斜視図
【図４】本考案の立体型バタ木灯火本体斜視図
【図５】本考案のデザイン灯り孔バラ木の斜視図
【図６】本考案の節目冠着溝孔備え灯火木本体の斜視図
【図７】本考案の使用状態を示す説明図
【図８】本考案の使用状態を示す実施説明図
【図９】本考案の使用状態を示す実施説明図
【図１０】本考案の使用状態を示す実施説明図
【図１１】本考案の使用状態を示す実施説明図
【図１２】本考案の使用状態を示す実施説明図
【符号の説明】
【０００８】  １  灯火バタ木本体
２  ソケット受け台
３  ソケット
４  電源コンセント
５  灯り電球
６  飾り受け台
７  バタ木の節目
８  立体型バタ木灯火本体
９  デザイン灯り孔
１０  節目冠着溝孔備え灯火木本体
１１  節目冠着溝孔
１２  節目付き嵌合木
１３  灯り
１４  灯火
【図１】
0003201262.tif 000003
【図２】
0003201262.tif 000004
【図３】
0003201262.tif 000005
【図４】
0003201262.tif 000006
【図５】
0003201262.tif 000007
【図６】
0003201262.tif 000008
【図７】
0003201262.tif 000009
【図８】
0003201262.tif 000010
【図９】
0003201262.tif 000011
【図１０】
0003201262.tif 000012
【図１１】
0003201262.tif 000013
【図１２】
0003201262.tif 000014
【手続補正書】
【提出日】平成27年9月3日(2015.9.3)
【手続補正１】
【補正対象書類名】実用新案登録請求の範囲
【補正対象項目名】全文
【補正方法】変更
【補正の内容】
【実用新案登録請求の範囲】
【請求項１】
ソケット受け台に電源コンセント付のソケットを設けられ、バタ木の持つ節目を活かした灯火バタ木本体が、ソケットに設けた灯り電球の前部に介装されたことを特長とするバタ木を活用した灯火具。
【請求項２】
ソケット受け台に電源コンセント付のソケットを設けられ、バタ木の持つ節目を活かした箱形等の立体型バタ木灯火本体が、ソケットに設けた灯り電球を囲むように  介装されたことを特長とする請求項１に記載したバタ木を活用した灯火具。
【請求項３】
ソケット受け台に電源コンセント付のソケットを設けられ、節目及びデザイン灯り孔を備えたバタ木本体が、ソケットに設けた灯り電球の前部もしくは電球を囲むように介装されたことを特長とする請求項１または２に記載したバタ木を活用した灯火具。
【請求項４】
ソケット受け台に電源コンセント付のソケットを設けられ、節目冠着溝孔及び節目節目付嵌合木を備えた灯火木本体が、ソケットに設けた灯り電球の前部に介装されたことを特長とする請求項１、２、または３に記載したバタ木を活用した灯火具。
【請求項５】
灯りに用いるソケット並びに電球は、白熱電球もしくは消費熱が少なく、使用耐久時間が長いＬＥＤのソケット並びにＬＥＤ電球を灯り源とし、灯りセンサースイッチ付電球で自動的に電球がつくまたはタイムスイッチ式で灯りの入る時間や切る時間を備えた灯り電源部を設けた電球部を備え介装されたことを特長とする請求項１に記載したバタ木を活用した灯火具。